(57)【特許請求の範囲】
【請求項１】
車室内のユーザから発せられた音声が当該車室内のユーザの近傍に配置されているマイクロホンに送話音声として入力されることで、前記ユーザにより車室内に持込まれた複数の携帯電話機のうちいずれかを用いたハンズフリー通話を行う車載ハンズフリー装置において、
携帯電話機との間でハンズフリー通信プロトコルを接続するハンズフリー接続手段と、
携帯電話機の属性を予め記憶する記憶手段と、
前記ハンズフリー接続手段との間でハンズフリー通信プロトコルを接続している携帯電話機が着信中にあるか否かを判定する制御手段とを備え、
前記制御手段は、前記ハンズフリー接続手段との間でハンズフリー通信プロトコルを同時に接続している複数の携帯電話機の各々が同時に着信中にある旨を判定した場合に、前記記憶手段に記憶されている当該着信中にある複数の携帯電話機の各々の属性に基づいて当該複数の携帯電話機のうち一の携帯電話機における着信に係る着信情報と他の携帯電話機における着信に係る着信情報との報知態様を区別して前記報知手段から報知させ、
前記報知手段は、表示手段を有して構成され、
前記制御手段は、着信情報の報知態様を区別する方法として着信情報の表示態様を区別して前記表示手段に表示させ、着信中にある複数の携帯電話機のうちいずれかの属性が第１の種別であり且つ着信中にある複数の携帯電話機のうち他のいずれかの属性が第２の種別である場合には、当該他のいずれかの携帯電話機における着信に係る着信情報を前記報知手段から報知させないことを特徴とする車載ハンズフリー装置。
【請求項２】
携帯電話機との間でハンズフリー通信プロトコルを接続するハンズフリー接続手段と、
携帯電話機の属性を記憶する記憶手段と、
前記ハンズフリー接続手段との間でハンズフリー通信プロトコルを接続している携帯電話機が着信中にあるか否かを判定する制御手段とを備え、
前記制御手段は、前記ハンズフリー接続手段との間でハンズフリー通信プロトコルを同時に接続している複数の携帯電話機の各々が同時に着信中にある旨を判定した場合に、前記記憶手段に記憶されている当該着信中にある複数の携帯電話機の各々の属性に基づいて当該複数の携帯電話機のうち一の携帯電話機における着信に係る着信情報と他の携帯電話機における着信に係る着信情報との報知態様を区別して報知手段から報知させ、着信中にある複数の携帯電話機のうちいずれかの属性が第１の種別であり且つ着信中にある複数の携帯電話機のうち他のいずれかの属性が第２の種別である場合には、当該他のいずれかの携帯電話機における着信に係る着信情報を前記報知手段から報知させないことを特徴とする車載ハンズフリー装置。
【請求項３】
請求項２に記載した車載ハンズフリー装置において、
前記報知手段は、表示手段を有して構成され、
前記制御手段は、着信情報の報知態様を区別する方法として着信情報の表示態様を区別して前記表示手段に表示させることを特徴とする車載ハンズフリー装置。
【請求項４】
請求項２、３のいずれかに記載した車載ハンズフリー装置において、
日時を計時する計時手段を備え、
前記記憶手段は、携帯電話機の属性として当該携帯電話機の用途を記憶し、
前記制御手段は、前記ハンズフリー接続手段との間でハンズフリー通信プロトコルを同時に接続している複数の携帯電話機の各々が同時に着信中にある旨を判定した場合に、前記記憶手段に記憶されている当該着信中にある複数の携帯電話機の各々における当該携帯電話機の用途と前記計時手段が計時した日時とを照合することに基づいて当該複数の携帯電話機のうち一の携帯電話機における着信に係る着信情報と他の携帯電話機における着信に係る着信情報との報知態様を区別して報知手段から報知させることを特徴とする車載ハンズフリー装置。
【請求項５】
請求項２、３のいずれかに記載した車載ハンズフリー装置において、
前記ハンズフリー接続手段が携帯電話機との間でハンズフリー通信プロトコルを接続した時点を検知する接続時点検知手段を備え、
前記記憶手段は、携帯電話機の属性として前記接続時点検知手段が検知した前記ハンズフリー接続手段が携帯電話機との間でハンズフリー通信プロトコルを接続した時点を記憶し、
前記制御手段は、前記ハンズフリー接続手段との間でハンズフリー通信プロトコルを同時に接続している複数の携帯電話機の各々が同時に着信中にある旨を判定した場合に、前記記憶手段に記憶されている当該着信中にある複数の携帯電話機の各々が前記ハンズフリー接続手段との間でハンズフリー通信プロトコルを接続した時点に基づいて当該複数の携帯電話機のうち一の携帯電話機における着信に係る着信情報と他の携帯電話機における着信に係る着信情報との報知態様を区別して報知手段から報知させることを特徴とする車載ハンズフリー装置。
【請求項６】
請求項２、３のいずれかに記載した車載ハンズフリー装置において、
前記ハンズフリー接続手段が携帯電話機との間でハンズフリー通信プロトコルを接続した回数を計数する接続回数計数手段を備え、
前記記憶手段は、携帯電話機の属性として前記接続回数計数手段が計数した前記ハンズフリー接続手段が携帯電話機との間でハンズフリー通信プロトコルを接続した回数を記憶し、
前記制御手段は、前記ハンズフリー接続手段との間でハンズフリー通信プロトコルを同時に接続している複数の携帯電話機の各々が同時に着信中にある旨を判定した場合に、前記記憶手段に記憶されている当該着信中にある複数の携帯電話機の各々が前記ハンズフリー接続手段との間でハンズフリー通信プロトコルを接続した回数に基づいて当該複数の携帯電話機のうち一の携帯電話機における着信に係る着信情報と他の携帯電話機における着信に係る着信情報との報知態様を区別して報知手段から報知させることを特徴とする車載ハンズフリー装置。
【請求項７】
請求項１または３に記載した車載ハンズフリー装置において、
前記制御手段は、着信情報の表示態様として背景色や文字色を区別して前記表示手段に表示させることを特徴とする車載ハンズフリー装置。
【請求項８】
請求項１または３に記載した車載ハンズフリー装置において、
前記制御手段は、着信情報の表示態様として表示位置を区別して前記表示手段に表示させることを特徴とする車載ハンズフリー装置。
【請求項９】
請求項１または３に記載した車載ハンズフリー装置において、
前記制御手段は、着信情報の表示態様として点灯パターンや点滅パターンを区別して前記表示手段に表示させることを特徴とする車載ハンズフリー装置。
【請求項１０】
車室内のユーザから発せられた音声が当該車室内のユーザの近傍に配置されているマイクロホンに送話音声として入力されることで、前記ユーザにより車室内に持込まれた複数の携帯電話機のうちいずれかを用いたハンズフリー通話を行う車載ハンズフリー装置において、
携帯電話機との間でハンズフリー通信プロトコルを接続するハンズフリー接続手段と、
携帯電話機の属性を予め記憶する記憶手段と、
前記ハンズフリー接続手段との間でハンズフリー通信プロトコルを接続している携帯電話機が通話中または着信中にあるか否かを判定する制御手段とを備え、
前記制御手段は、前記ハンズフリー接続手段との間でハンズフリー通信プロトコルを同時に接続している複数の携帯電話機のうち一の携帯電話機が通話中にあり且つ他の携帯電話機が着信中にある旨を判定した場合に、前記記憶手段に記憶されている当該通話中にある一の携帯電話機の属性及び着信中にある他の携帯電話機の属性に基づいて当該複数の携帯電話機のうち一の携帯電話機における通話に係る通話情報と他の携帯電話機における着信に係る着信情報との報知態様を区別して報知手段から報知させ、
前記報知手段は、表示手段を有して構成され、
前記制御手段は、通話情報と着信情報との報知態様を区別する方法として通話情報と着信情報との表示態様を区別して前記表示手段に表示させ、通話中にある一の携帯電話機の属性が第１の種別であり且つ着信中にある他の携帯電話機の属性が第２の種別である場合には、当該他の携帯電話機における着信に係る着信情報を前記報知手段から報知させないことを特徴とする車載ハンズフリー装置。
【請求項１１】
携帯電話機との間でハンズフリー通信プロトコルを接続するハンズフリー接続手段と、
携帯電話機の属性を記憶する記憶手段と、
前記ハンズフリー接続手段との間でハンズフリー通信プロトコルを接続している携帯電話機が通話中または着信中にあるか否かを判定する制御手段とを備え、
前記制御手段は、前記ハンズフリー接続手段との間でハンズフリー通信プロトコルを同時に接続している複数の携帯電話機のうち一の携帯電話機が通話中にあり且つ他の携帯電話機が着信中にある旨を判定した場合に、前記記憶手段に記憶されている当該通話中にある一の携帯電話機の属性及び着信中にある他の携帯電話機の属性に基づいて当該複数の携帯電話機のうち一の携帯電話機における通話に係る通話情報と他の携帯電話機における着信に係る着信情報との報知態様を区別して報知手段から報知させ、通話中にある一の携帯電話機の属性が第１の種別であり且つ着信中にある他の携帯電話機の属性が第２の種別である場合には、当該他の携帯電話機における着信に係る着信情報を前記報知手段から報知させないことを特徴とする車載ハンズフリー装置。
【請求項１２】
請求項１１に記載した車載ハンズフリー装置において、
前記報知手段は、表示手段を有して構成され、
前記制御手段は、通話情報と着信情報との報知態様を区別する方法として通話情報と着信情報との表示態様を区別して前記表示手段に表示させることを特徴とする車載ハンズフリー装置。
【請求項１３】
請求項１０または１２に記載した車載ハンズフリー装置において、
前記制御手段は、通話情報と着信情報との表示態様として背景色や文字色を区別して前記表示手段に表示させることを特徴とする車載ハンズフリー装置。
【請求項１４】
請求項１０または１２に記載した車載ハンズフリー装置において、
前記制御手段は、通話情報と着信情報との表示態様として表示位置を区別して前記表示手段に表示させることを特徴とする車載ハンズフリー装置。
【請求項１５】
請求項１０または１２に記載した車載ハンズフリー装置において、
前記制御手段は、通話情報と着信情報との表示態様として点灯パターンや点滅パターンを区別して前記表示手段に表示させることを特徴とする車載ハンズフリー装置。
【発明の詳細な説明】
【技術分野】
【０００１】
本発明は、携帯電話機との間でハンズフリー通信プロトコルを接続するハンズフリー接続手段と、前記ハンズフリー接続手段との間でハンズフリー通信プロトコルを接続している携帯電話機が通話中または着信中にあるか否かを判定する制御手段とを備えた車載ハンズフリー装置に関する。
【背景技術】
【０００２】
車載ハンズフリー装置は、車室内に持込まれた携帯電話機との間でハンズフリープロファイル接続している状態では、その車室内に持込まれた携帯電話機が着信中になると、その携帯電話機における着信に係る着信情報をディスプレイ装置に表示させたり、着信音をスピーカから出力させたりすることにより、携帯電話機が着信中にある旨をユーザに報知するように構成されている（例えば特許文献１参照）。
【特許文献１】特開２００５−２６０８２２号公報
【発明の開示】
【発明が解決しようとする課題】
【０００３】
近年では、例えば仕事用の携帯電話機とプライベート用の携帯電話機との複数の携帯電話機を同時に携帯するユーザも珍しくない。このような事情から、複数の携帯電話機が車室内に持込まれた場合であっても、それら複数の携帯電話機の全てがハンズフリー待受可能となるように、複数の携帯電話機の各々との間でハンズフリープロファイルを同時に接続する（いわゆるマルチプロファイル接続する）車載ハンズフリー装置も供されている。
【０００４】
ところで、このような複数の携帯電話機の各々との間でハンズフリープロファイルを同時に接続する車載ハンズフリー装置では、ハンズフリープロファイルを同時に接続している複数の携帯電話機の各々が同時に着信中になる場合や複数の携帯電話機のうち一の携帯電話機が通話中にあるときに他の携帯電話機が着信中になる場合もあり得る。その場合、ユーザは、それら複数の携帯電話機の各々がいずれの状態にあるかを認識し、各々の状態に対して適切な対応を行う必要がある。しかしながら、従来、このような状況に適切に対応し得るものは存在していなかった。
【０００５】
本発明は、上記した事情に鑑みてなされたものであり、その目的は、ハンズフリー通信プロトコルを同時に接続している複数の携帯電話機の各々の状態をユーザに適切に認識させることができ、ユーザの使い勝手を高めることができる車載ハンズフリー装置を提供することにある。
【課題を解決するための手段】
【０００６】
請求項１に記載した発明によれば、制御手段は、ハンズフリー接続手段との間でハンズフリー通信プロトコルを同時に接続している複数の携帯電話機の各々が同時に着信中にある旨を判定すると、記憶手段に記憶されている当該着信中にある複数の携帯電話機の各々の属性に基づいて当該複数の携帯電話機のうち一の携帯電話機における着信に係る着信情報と他の携帯電話機における着信に係る着信情報との報知態様を区別して報知手段から報知させる。これにより、着信中にある複数の携帯電話機の各々の属性に基づいて着信情報の報知態様を区別して報知させることにより、複数の携帯電話機の各々の状態をユーザに適切に認識させることができ、ユーザの使い勝手を高めることができる。また、制御手段は、着信情報の報知態様を区別する方法として着信情報の表示態様を区別して表示手段に表示させる。これにより、複数の携帯電話機の各々の状態を視覚的にユーザに適切に認識させることができる。
【０００７】
請求項１に記載した発明によれば、制御手段は、着信中にある複数の携帯電話機のうちいずれかの属性が第１の種別であり且つ着信中にある複数の携帯電話機のうち他のいずれかの属性が第２の種別であると、当該他のいずれかの携帯電話機における着信に係る着信情報を報知手段から報知させない。これにより、属性の種別に優先順位を持たせることにより、優先順位が下位の携帯電話機の着信情報を強制的に報知させないようにすることができる。
【０００８】
請求項４に記載した発明によれば、記憶手段は、携帯電話機の属性として当該携帯電話機の用途を記憶し、制御手段は、ハンズフリー接続手段との間でハンズフリー通信プロトコルを同時に接続している複数の携帯電話機の各々が同時に着信中にある旨を判定すると、記憶手段に記憶されている当該着信中にある複数の携帯電話機の各々における当該携帯電話機の用途と計時手段が計時した日時とを照合することに基づいて当該複数の携帯電話機のうち一の携帯電話機における着信に係る着信情報と他の携帯電話機における着信に係る着信情報との報知態様を区別して報知手段から報知させる。これにより、着信中にある複数の携帯電話機の各々の用途及び日時に基づいて着信情報の報知態様を区別して報知させることにより、着信中にある複数の携帯電話機のうち用途及び日時を判断基準としたときに選択すべき方をユーザに適切に認識させることができ、ユーザの使い勝手を高めることができる。
【０００９】
請求項５に記載した発明によれば、接続時点検知手段は、ハンズフリー接続手段が携帯電話機との間でハンズフリー通信プロトコルを接続した時点を検知し、記憶手段は、携帯電話機の属性として接続時点検知手段が検知したハンズフリー接続手段が携帯電話機との間でハンズフリー通信プロトコルを接続した時点を記憶し、制御手段は、ハンズフリー接続手段との間でハンズフリー通信プロトコルを同時に接続している複数の携帯電話機の各々が同時に着信中にある旨を判定すると、記憶手段に記憶されている当該着信中にある複数の携帯電話機の各々がハンズフリー接続手段との間でハンズフリー通信プロトコルを接続した時点に基づいて当該複数の携帯電話機のうち一の携帯電話機における着信に係る着
信情報と他の携帯電話機における着信に係る着信情報との報知態様を区別して報知手段から報知させる。これにより、着信中にある複数の携帯電話機の各々がハンズフリー通信プロトコルを接続した時点に基づいて着信情報の報知態様を区別して報知させることにより、着信中にある複数の携帯電話機のうち接続した時点を判断基準としたときに選択すべき方をユーザに適切に認識させることができ、ユーザの使い勝手を高めることができる。
【００１０】
請求項６に記載した発明によれば、接続回数計数手段は、ハンズフリー接続手段が携帯電話機との間でハンズフリー通信プロトコルを接続した回数を計数し、記憶手段は、携帯電話機の属性として接続回数計数手段が計数したハンズフリー接続手段が携帯電話機との間でハンズフリー通信プロトコルを接続した回数を記憶し、制御手段は、ハンズフリー接続手段との間でハンズフリー通信プロトコルを同時に接続している複数の携帯電話機の各々が同時に着信中にある旨を判定すると、記憶手段に記憶されている当該着信中にある複数の携帯電話機の各々がハンズフリー接続手段との間でハンズフリー通信プロトコルを接続した回数に基づいて当該複数の携帯電話機のうち一の携帯電話機における着信に係る着
信情報と他の携帯電話機における着信に係る着信情報との報知態様を区別して報知手段から報知させる。これにより、着信中にある複数の携帯電話機の各々がハンズフリー通信プロトコルを接続した回数に基づいて着信情報の報知態様を区別して報知させることにより、着信中にある複数の携帯電話機のうち接続した回数を判断基準としたときに選択すべき方をユーザに適切に認識させることができ、ユーザの使い勝手を高めることができる。
【００１２】
請求項７に記載した発明によれば、制御手段は、着信情報の表示態様として背景色や文字色を区別して表示手段に表示させる。これにより、着信情報の背景色や文字色を区別して表示させることにより、複数の携帯電話機の各々の状態をユーザに適切に認識させることができる。
【００１３】
請求項８に記載した発明によれば、制御手段は、着信情報の表示態様として表示位置を区別して表示手段に表示させる。これにより、着信情報の表示位置を区別して表示させることにより、複数の携帯電話機の各々の状態をユーザに適切に認識させることができる。
【００１４】
請求項９に記載した発明によれば、制御手段は、着信情報の表示態様として点灯パターンや点滅パターンを区別して表示手段に表示させる。これにより、着信情報の点灯パターンや点滅パターンを区別して表示させることにより、複数の携帯電話機の各々の状態をユーザに適切に認識させることができる。
【００１５】
請求項１０に記載した発明によれば、制御手段は、ハンズフリー接続手段との間でハンズフリー通信プロトコルを同時に接続している複数の携帯電話機のうち一の携帯電話機が通話中にあり且つ他の携帯電話機が着信中にある旨を判定すると、記憶手段に記憶されている当該通話中にある一の携帯電話機の属性及び着信中にある他の携帯電話機の属性に基づいて当該複数の携帯電話機のうち一の携帯電話機における通話に係る通話情報と他の携帯電話機における着信に係る着信情報との表示態様を区別して報知手段から報知させる。これにより、通話中にある一の携帯電話機の属性及び着信中にある他の携帯電話機の属性に基づいて通話情報と着信情報との報知態様とを区別して報知させることにより、複数の携帯電話機の各々の状態をユーザに適切に認識させることができ、ユーザの使い勝手を高めることができる。また、制御手段は、通話情報と着信情報との報知態様を区別する方法として通話情報と着信情報との表示態様を区別して表示手段に表示させる。これにより、複数の携帯電話機の各々の状態を視覚的にユーザに適切に認識させることができる。
【００１６】
請求項１０に記載した発明によれば、制御手段は、通話中にある一の携帯電話機の属性が第１の種別であり且つ着信中にある他の携帯電話機の属性が第２の種別であると、当該他の携帯電話機における着信に係る着信情報を報知手段から報知させない。これにより、属性の種別に優先順位を持たせることにより、優先順位が下位の携帯電話機の着信情報を強制的に表示させないようにすることができる。
【００１７】
請求項１２に記載した発明によれば、制御手段は、通話情報と着信情報との報知態様を区別する方法として通話情報と着信情報との表示態様を区別して表示手段に表示させる。
これにより、複数の携帯電話機の各々の状態を視覚的にユーザに適切に認識させることができる。
【００１８】
請求項１３に記載した発明によれば、制御手段は、通話情報と着信情報との表示態様として背景色や文字色を区別して表示手段に表示させる。これにより、通話情報及び着信情報の背景色や文字色を区別して表示させることにより、複数の携帯電話機の各々の状態をユーザに適切に認識させることができる。
【００１９】
請求項１４に記載した発明によれば、制御手段は、通話情報と着信情報との表示態様として表示位置を区別して表示手段に表示させる。これにより、通話情報及び着信情報の表示位置を区別して表示させることにより、複数の携帯電話機の各々の状態をユーザに適切に認識させることができる。
【００２０】
請求項１５に記載した発明によれば、制御手段は、通話情報と着信情報との表示態様として点灯パターンや点滅パターンを区別して表示手段に表示させる。これにより、通話情報及び着信情報の点灯パターンや点滅パターンを区別して表示させることにより、複数の携帯電話機の各々の状態をユーザに適切に認識させることができる。
【発明を実施するための最良の形態】
【００２１】
以下、本発明の一実施形態について、図面を参照して説明する。尚、ここでは、複数の携帯電話機としてＢｌｕｅｔｏｏｔｈ（登録商標）（以下、ＢＴと称する）通信機能を有するｎ（ｎは２以上の正数）台のＢＴ対応の携帯電話機（以下、携帯電話機と称する）が車室内に持込まれた場合を説明する。車載ハンズフリー装置１は、車両に搭載され、制御部２（本発明でいう制御手段、計時手段、接続時点検知手段、接続回数計数手段）と、ＢＴインタフェース部３（本発明でいうハンズフリー接続手段）と、通話音声処理部４と、記憶部５（本発明でいう記憶手段）と、表示制御部６と、タッチ操作入力部７とを備えて構成されている。
【００２２】
制御部２は、ＣＰＵ、ＲＡＭ、ＲＯＭ及びＩ／Ｏバスなどを有し、車載ハンズフリー装置１の通信動作やデータ管理動作などの動作全般を制御する。尚、制御部２は、日時を計時するカレンダー機能を有している。ＢＴインタフェース部３は、ＢＴの通信規格により規格化されているハンズフリー通話を行うためのハンズフリープロファイル（ＨＦＰ（Hands Free Profile））（本発明でいうハンズフリー通信プロトコル）及び電話帳データや発信履歴データや着信履歴データの転送を行うためのフォンブックアクセスプロファイル（ＰＢＡＰ（Phone Book Access Profile））に対応しており、複数のＢＴ対応の携帯電話機の各々との間でハンズフリープロファイルを同時に接続する（いわゆるマルチプロファイル接続する）ことが可能である。
【００２３】
すなわち、各々がＢＴ通信機能を有する携帯電話機２１〜２ｎが車室内に持込まれ、携帯電話機２１〜２ｎがＢＴインタフェース部３により形成されているＢＴ通信圏内に存在していれば、ＢＴインタフェース部３は、それらＢＴ通信圏内に存在している携帯電話機２１〜２ｎとの間でハンズフリープロファイルを同時に接続する。尚、これらプロファイルは、機能毎に定義された通信プロトコルを意味している。
【００２４】
通話音声処理部４は、車室内にあって例えばハンドルの近傍などのユーザが発した音声を集音し易い部位に配置されているマイクロホン８を接続していると共に、車載ハンズフリー装置１の外部に配置されているオーディオアンプ９を接続している。通話音声処理部４は、車室内に持込まれた携帯電話機２１〜２ｎのうちいずれかを用いたハンズフリー通話を行う場合には、ユーザが発した音声をマイクロホン８から送話音声として入力すると、その入力した送話音声を音声処理してＢＴインタフェース部３に出力し、ＢＴインタフェース部３から受話音声を入力すると、その入力した受話音声をオーディオアンプ９に出力する。オーディオアンプ９は、通話音声処理部４から受話音声を入力すると、その入力した受話音声を増幅してスピーカ１０及びスピーカ１１から出力させる。
【００２５】
スピーカ１０及びスピーカ１１は車載ハンズフリー装置１を搭載している車両の全長方向を対称中心して左右対称に配置されており、スピーカ１０は例えば運転席ドアに配置され、スピーカ１１は例えば助手席ドアに配置されている。尚、オーディオアンプ９は、チューナーデッキ１２にも接続されており、チューナーデッキ１２が例えば音楽用記録媒体から再生した楽曲音やラジオ放送局から受信したラジオ番組を当該チューナーデッキ１２から入力すると、それら入力した楽曲音やラジオ番組を増幅してスピーカ１０及びスピーカ１１から出力させる。
【００２６】
記憶部５は、各種データを記憶可能に構成されており、電話番号と登録名との対応を表す電話帳データ、車載ハンズフリー装置１からの発信或いは当該車載ハンズフリー装置１との間でハンズフリープロファイルを接続している携帯電話機２１〜２ｎからの発信に係る発信時刻と発信電話番号との対応を表す発信履歴データ、車載ハンズフリー装置１との間でハンズフリープロファイルを接続している携帯電話機２１〜２ｎにおける着信に係る着信時刻と着信電話番号との対応を表す着信履歴データを記憶可能に構成されていると共に、図２に示すように、携帯電話機２１〜２ｎの電話機情報（例えば電話番号など）と所有者と用途（使用目的）との対応を表す電話機情報登録データを記憶可能に構成されている。
【００２７】
この場合、ユーザは、車載ハンズフリー装置１へのハンズフリー接続を許可する携帯電話機２１〜２ｎを予め登録する際に、電話機情報と所有者と用途との対応を登録するものであり、制御部２は、その電話機情報と所有者と用途とを登録する操作が行われることにより携帯電話機の電話機情報と所有者と用途とを対応付けて電話機情報登録データとして記憶部５に記憶させる。これら所有者及び用途は携帯電話機２１〜２ｎの属性に相当する。
【００２８】
ディスプレイ装置１３は、表示画面を表示する表示装置１４（本発明でいう報知手段、表示手段）と、表示画面上にタッチスイッチを形成するタッチ操作入力装置１５とを備えて構成されている。表示制御部６は、制御部２から表示指令信号を入力すると、その入力した表示指令信号に基づいてディスプレイ装置１３における表示装置１４の表示動作を制御する。タッチ操作入力部７は、ユーザが表示画面上に形成されているタッチスイッチを操作したことに応じてタッチ操作入力装置１５から操作検知信号を入力すると、その操作検知信号を制御部２に出力し、制御部２は、タッチ操作入力部７から操作検知信号を入力すると、その操作検知信号に解析して処理を行う。
【００２９】
上記した携帯電話機２１〜２ｎは、車載ハンズフリー装置１との間でハンズフリープロファイルを接続していない状態（単独の状態）で携帯電話網３１（本発明でいう通信網）から着信信号を受信すると、着信した旨を表す着信メッセージを表示装置（図示せず）に表示させたり、予め登録されている着信音をスピーカ（図示せず）から出力させたりし、その着信をユーザに報知する着信報知動作を行う。
【００３０】
この場合、携帯電話機２１〜２ｎは、携帯電話網３１から発信先電話番号を受信していれば、その携帯電話網３１から受信した発信先電話番号を表示装置に表示させたり、電話帳データを検索して当該発信先電話番号に対応して記憶されている登録名を表示装置に表示させたり、その発信先電話番号に対応して登録されている着信音をスピーカから出力させたりし、発信先に関する情報をもユーザに報知する。そして、携帯電話機２１〜２ｎは、ユーザが着信を認識して当該着信に対して応答するための着信応答キーの操作を行った場合には、着信応答信号を携帯電話網３１に送信し、一方、ユーザが着信を認識して当該着信に対して拒否するための着信拒否キーの操作を行った場合には、着信拒否信号を携帯電話網３１に送信する。
【００３１】
その一方で、携帯電話機２１〜２ｎは、車載ハンズフリー装置１との間でハンズフリープロファイルを接続している状態で携帯電話網３１から着信信号を受信すると、上記したような自機からの着信報知動作を行うことなく、着信通知信号を車載ハンズフリー装置１に送信する。この場合、携帯電話機２１〜２ｎは、自機を識別する識別情報（例えば自機に登録されている電話番号など）を車載ハンズフリー装置１に送信し、携帯電話網３１から発信先電話番号を受信していれば、その携帯電話網３１から受信した発信先電話番号をも車載ハンズフリー装置１に送信する。また、携帯電話機２１〜２ｎは、自機がインバンドリングトーンに対応している携帯電話機（自機に登録されている着信音を転送可能な携帯電話機）であれば、自機に登録されている着信音をも車載ハンズフリー装置１に送信する。
【００３２】
すなわち、携帯電話機２１〜２ｎは、自機がインバンドリングトーンに対応している携帯電話機であり、携帯電話網３１から発信先電話番号を受信していなければ、自機に不特定多数の電話番号に対応して予め登録されている着信音を車載ハンズフリー装置１に送信し、携帯電話網３１から発信先電話番号を受信しており、その受信した発信先電話番号に対応して予め着信音が登録されていれば、その予め登録されている着信音を車載ハンズフリー装置１に送信する。
【００３３】
次に、上記した構成の作用について、図３ないし図１８を参照して説明する。尚、ここでは、図３に示すように、車室内に携帯電話機２１〜２５の５台の携帯電話機が持込まれており、携帯電話機２１は「電話機情報Ａ」が登録されている携帯電話機であり、携帯電話機２２は「電話機情報Ｂ」が登録されている携帯電話機であり、携帯電話機２３は「電話機情報Ｃ」が登録されている携帯電話機であり、携帯電話機２４は「電話機情報Ｄ」が登録されている携帯電話機であり、携帯電話機２５は「電話機情報Ｅ」が登録されている携帯電話機であり、各々が車載ハンズフリー装置１との間でハンズフリープロファイルを同時に接続していることを前提として説明する。また、例えば「東田○○」が自身を運転者として車載ハンズフリー装置１に登録する操作を行うことにより、制御部２は「東田○○」を運転者として認識していることを前提として説明する。
【００３４】
車載ハンズフリー装置１において、制御部２は、携帯電話機２１〜２５のうちいずれかから着信通知信号をＢＴインタフェース部３により受信し、着信処理の開始トリガが発生すると、図４に示す着信処理を開始する。制御部２は、着信処理を開始すると、その時点で既に着信中の携帯電話機が存在するか否かを判定する（ステップＳ１）。
【００３５】
ここで、携帯電話機２１〜２５のいずれもが着信中でないときにいずれかが着信したと仮定する。制御部２は、携帯電話機２１〜２５のいずれかがが着信した時点で既に着信中の携帯電話機が存在しない旨を判定すると（ステップＳ１にて「ＮＯ」）、着信した携帯電話機の所有者が運転者であるか否かを判定し（ステップＳ２）、着信した携帯電話機の所有者が運転者である旨を判定すると（ステップＳ２にて「ＹＥＳ」）、着信した携帯電話機の用途が仕事用であるか否かを判定し（ステップＳ３）、それらの判定結果に基づいて着信に係る着信情報を表示させる（ステップＳ４〜Ｓ６）。尚、ここでいう着信情報とは、着信中にある旨を示す着信中というメッセージ、着信した携帯電話機から通知された発信先電話番号、その通知された発信先電話番号に対応して電話帳データに登録されている登録名、着信した携帯電話機に対応して登録されている所有者及び用途からなる情報である。
【００３６】
すなわち、制御部２は、携帯電話機２１が着信した場合であれば、図５に示すように、所有者として「東田○○」が登録され且つ用途として「仕事用」が登録されている携帯電話機２１が着信した旨を示す着信情報４１を表示領域にあって右上側に緑色の背景色で表示させる（ステップＳ４）。また、制御部２は、携帯電話機２２が着信した場合であれば、図６に示すように、所有者として「東田○○」が登録され且つ用途として「プライベート用」が登録されている携帯電話機２２が着信した旨を示す着信情報４２を表示領域にあって右下側に緑色の背景色で表示させる（ステップＳ５）。さらに、制御部２は、携帯電話機２３が着信した場合であれば、図７に示すように、所有者として「西村○○」が登録され且つ用途として「仕事用」が登録されている携帯電話機２３が着信した旨を示す着信情報４３を表示領域にあって左上側に黄色の背景色で表示させる（ステップＳ６）。
【００３７】
これに対して、携帯電話機２１〜２５のいずれかが既に着信中にあるときに他のいずれかが着信したと仮定する。制御部２は、携帯電話機２１〜２５のいずれかがが着信した時点で既に着信中の携帯電話機が存在する旨を判定すると（ステップＳ１にて「ＹＥＳ」）、着信した携帯電話機の所有者が運転者であるか否かを判定し（ステップＳ７）、着信した携帯電話機の所有者が運転者である旨を判定すると（ステップＳ７にて「ＹＥＳ」）、着信した携帯電話機の用途が仕事用であるか否かを判定し（ステップＳ８）、着信した携帯電話機の用途が仕事用である旨を判定すると（ステップＳ８にて「ＹＥＳ」）、着信中の携帯電話機の所有者が運転者であるか否かを判定し（ステップＳ９）、それらの判定結果に基づいて着信に係る着信情報を表示させる（ステップＳ１０〜Ｓ１２）。
【００３８】
すなわち、制御部２は、携帯電話機２２が既に着信中にあるときに携帯電話機２１が着信した場合であれば、図８に示すように、所有者として「東田○○」が登録され且つ用途として「プライベート用」が登録されている携帯電話機２２が着信した旨を示す着信情報４４を表示領域にあって右下側に緑色の背景色で表示させている状態から、所有者として「東田○○」が登録され且つ用途として「仕事用」が登録されている携帯電話機２１が着信した旨を示す着信情報４５を表示領域にあって右上側に緑色の背景色で割込表示させ、それら携帯電話機２２の着信情報と携帯電話機２１の着信情報とを同時に表示させる（ステップＳ１０）。
【００３９】
また、制御部２は、携帯電話機２３が既に着信中にあるときに携帯電話機２１が着信した場合であれば、図９に示すように、所有者として「西村○○」が登録され且つ用途として「仕事用」が登録されている携帯電話機２３が着信した旨を示す着信情報４６を表示領域にあって左上側に黄色の背景色で表示させている状態から、所有者として「東田○○」が登録され且つ用途として「仕事用」が登録されている携帯電話機２１が着信した旨を示す着信情報４７を表示領域にあって右上側に緑色の背景色で割込表示させ、それら携帯電話機２３の着信情報と携帯電話機２１の着信情報とを同時に表示させる（ステップＳ１１）。
【００４０】
また、制御部２は、着信した携帯電話機の用途が仕事用でない旨を判定すると（ステップＳ８にて「ＮＯ」）、着信した旨を示す着信情報の表示を拒否し（ステップＳ１２）、１台着信時の着信画面を表示させている状態を継続する。つまり、制御部２は、最初に着信した携帯電話機の用途が例えば仕事用（本発明でいう第１の種別）であり、次に着信した携帯電話機の用途が例えばプライベート用（本発明でいう第２の種別）である旨を判定すると、その用途がプライベート用の携帯電話機が着信した旨を示す着信情報の表示を拒否する。
【００４１】
また、制御部２は、着信した携帯電話機の所有者が運転者でない旨を判定すると（ステップＳ７にて「ＮＯ」）、着信中の携帯電話機の所有者は最初に着信した携帯電話機の所有者と同じであるか否かを判定し（ステップＳ１３）、それらの判定結果に基づいて着信に係る着信情報を表示させる（ステップＳ１４，Ｓ１５）。
【００４２】
すなわち、制御部２は、携帯電話機２３が既に着信中にあるときに携帯電話機２４が着信した場合であれば、図１０に示すように、所有者として「西村○○」が登録され且つ用途として「仕事用」が登録されている携帯電話機２３が着信した旨を示す着信情報４８を
表示領域にあって左上側に黄色の背景色で表示させている状態から、所有者として「西村○○」が登録され且つ用途として「プライベート用」が登録されている携帯電話機２４が着信した旨を示す着信情報４９を表示領域にあって左下側に黄色の背景色で割込表示させ、それら携帯電話機２３の着信情報と携帯電話機２４の着信情報とを同時に表示させる（ステップＳ１４）。
【００４３】
また、制御部２は、携帯電話機２４が既に着信中にあるときに携帯電話機２５が着信した場合であれば、図１１に示すように、所有者として「西村○○」が登録され且つ用途として「プライベート用」が登録されている携帯電話機２４が着信した旨を示す着信情報５０を表示領域にあって左上側に黄色の背景色で表示させている状態から、所有者として「南野○○」が登録され且つ用途として「プライベート用」が登録されている携帯電話機２５が着信した旨を示す着信情報５１を表示領域にあって左下側に青色の背景色で割込表示させ、それら携帯電話機２４の着信情報と携帯電話機２５の着信情報とを同時に表示させる（ステップＳ１５）。
【００４４】
尚、以上は、着信した携帯電話機の所有者に基づいて背景色や表示位置を区別して着信情報を表示させる場合を説明したが、着信した携帯電話機の所有者に基づいて文字色や点灯パターンや点滅パターンを区別して着信情報を表示させても良い。また、着信した携帯電話機の用途に基づいて背景色や文字色や表示位置や点灯パターンや点滅パターンを区別して着信情報を表示させても良い。また、複数の着信情報を表示させる場合に、最初に着信した携帯電話機の着信情報を点灯により表示させ、次に着信した携帯電話機の着信情報を点滅により表示させることにより、着信した順序をユーザに認識させるようにしても良い。さらに、着信情報のうち所有者や用途の部分の背景色を他の部分の背景色と区別して表示させることにより、所有者や用途を強調表示させるようにしても良い。
【００４５】
また、以上は、運転者が所有者である携帯電話機の着信情報を表示させる場合には、その着信情報を表示装置１４の表示領域のうち運転者に近い側に表示させる、つまり、車載ハンズフリー装置１を搭載している車両がハンドルを右側に有する車両（いわゆる右ハンドル車両）であれば、本実施形態のように運転者が所有する携帯電話機に関する着信情報を表示装置１４の表示領域のうち正面から見て運転席に近い側である右側に表示させる態様が望ましく、一方、車載ハンズフリー装置１を搭載している車両がハンドルを左側に有する車両（いわゆる左ハンドル車両）であれば、運転者が所有する携帯電話機に関する着信情報を表示装置１４の表示領域のうち正面から見て運転席に近い側である左側に表示させる態様が望ましい。
【００４６】
ところで、以上は、携帯電話機２１〜２５のいずれかが既に着信中にあるときに他のいずれかが着信した場合を説明したが、携帯電話機２１〜２５のいずれかが既に通話中にあるときに他のいずれかが着信した場合について、図１２ないし図１６を参照して説明する。この場合、制御部２は、携帯電話機２１〜２５のいずれかが着信した時点で既に通話中の携帯電話機が存在しない旨を判定すると（ステップＳ２１にて「ＮＯ」）、上記したステップＳ２〜Ｓ６に相当するステップＳ２２〜Ｓ２６を行うが、携帯電話機２１〜２５のいずれかが着信した時点で既に通話中の携帯電話機が存在する旨を判定すると（ステップＳ２１にて「ＹＥＳ」）、上記したステップＳ７〜Ｓ１５に相当するステップＳ２７〜Ｓ３５を行う。この場合、制御部２は、図１３ないし図１６に示すように、いずれかの携帯電話機が通話中にある旨を示す通話情報６１，６３，６５，６７を表示させている状態から、他のいずれかの携帯電話機が着信した旨を示す着信情報６２，６４，６６，６８を割込表示させ、それら携帯電話機の通話情報と携帯電話機の着信情報とを同時に表示させる。
【００４７】
また、図２に示すように携帯電話機２１〜２ｎの属性として用途を記憶している場合には、携帯電話機２１〜２ｎの属性である用途と着信している日時とを照合し、同時に着信中にある２台の携帯電話機の着信情報を当該携帯電話機に優先順位を設定して表示させても良い。以下、制御部２が優先順位を設定して表示させる場合について、図１７及び図１８を参照して説明する。
【００４８】
制御部２は、着信処理を開始すると、着信中にある携帯電話機の台数が１台であるか２台であるかを判定する（ステップＳ４１，Ｓ４２）。ここで、制御部２は、着信中にある携帯電話機の台数が１台である旨を判定すると（ステップＳ４１にて「ＹＥＳ」）、１台着信時の表示画面を表示装置１４に表示させる（ステップＳ４３）。この場合、制御部２は、着信している携帯電話機から発信先電話番号を受信していれば、その受信した発信先電話番号を表示させ、発信先電話番号に対応する登録名を電話帳データとして記憶していれば、その登録名をも表示させる。
【００４９】
そして、制御部２は、１台着信時の表示画面上でユーザの操作が行われたか否かを判定し（ステップＳ４４）、ユーザの操作が行われた旨を判定すると（ステップＳ４４にて「ＹＥＳ」）、ユーザの操作に応じた処理を行う（ステップＳ４５）。すなわち、制御部２は、着信に対して応答するための着信応答スイッチ、着信に対して拒否するための着信拒否スイッチ、着信音の音量を増大させるためのアップスイッチ、着信音の音量を低下させるためのダウンスイッチを表示画面上に形成させており、着信応答スイッチの操作が行われると、着信応答信号をＢＴインタフェース部３から携帯電話機に送信させ、一方、着信拒否スイッチの操作が行われると、着信拒否信号をＢＴインタフェース部３から携帯電話機に送信させ、アップスイッチの操作が行われると、オーディオアンプ９を制御して着信音の音量を増大させ、ダウンスイッチの操作が行われると、オーディオアンプ９を制御して着信音の音量を低下させる。
【００５０】
また、制御部２は、着信中にある携帯電話機の台数が２台である旨を判定すると（ステップＳ４２にて「ＹＥＳ」）、それら着信中にある２台の携帯電話機の用途が同じであるか否かを判定し、それら着信中にある２台の携帯電話機に優先順位を設定可能であるか否かを判定する（ステップＳ４６）。すなわち、制御部２は、着信中にある２台の携帯電話機の用途が同じである場合には、それら着信中にある２台の携帯電話機に優先順位を設定不可能であると判定し（ステップＳ４６にて「ＮＯ」）、それら着信中にある２台の携帯電話機に優先順位を設定することなく２台着信時の表示画面を表示装置１４に表示させる（ステップＳ４７）。
【００５１】
図１８（ａ）は、着信中にある２台の携帯電話機の用途が同じであり、着信中にある２台の携帯電話機のうち一方から発信先電話番号として「０９０＊＊＊＊＊＊０１」を受信し、その携帯電話機から受信した発信先電話番号に対応する登録名として「徳川○○」を電話帳データとして記憶しており、発信先電話番号としての「０９０＊＊＊＊＊＊０１」及び登録名としての「徳川○○」を着信情報７１として表示装置１４の表示領域の左半部に表示させていると同時に、他方から発信先電話番号として「０９０＊＊＊＊＊＊０２」を受信し、その携帯電話機から受信した発信先電話番号に対応する登録名として「織田○○」を電話帳データとして記憶しており、発信先電話番号としての「０９０＊＊＊＊＊＊０２」及び登録名としての「織田○○」を着信情報７２として表示装置１４の表示領域の右半部に表示させている例を示している。
【００５２】
これに対して、制御部２は、着信中にある２台の携帯電話機の用途が異なる場合には、それら着信中にある２台の携帯電話機に優先順位を設定可能であると判定し（ステップＳ４６にて「ＹＥＳ」）、その時点での日時が例えば平日であるか休日であるかを判定する。制御部２は、着信中にある２台の携帯電話機の用途が仕事用とプライベート用とで異なる場合には、例えば平日であるときには仕事用の携帯電話機の優先順位を高く設定し、一方、例えば休日であるときにはプライベート用の携帯電話機の優先順位を高く設定する。そして、制御部２は、それら着信中にある２台の携帯電話機に優先順位を設定して２台着信時の表示画面を表示装置１４に表示させる（ステップＳ４８）。
【００５３】
図１８（ｂ）は、着信中にある２台の携帯電話機の用途が異なり、着信中にある２台の携帯電話機のうち一方から発信先電話番号として「０９０＊＊＊＊＊＊０１」を受信し、その携帯電話機から受信した発信先電話番号に対応する登録名として「徳川○○」を電話帳データとして記憶しており、発信先電話番号としての「０９０＊＊＊＊＊＊０１」及び登録名としての「徳川○○」を着信情報７１として表示装置１４の左半部に表示させていると同時に、他方から発信先電話番号として「０９０＊＊＊＊＊＊０３」を受信し、その携帯電話機から受信した発信先電話番号に対応する登録名として「豊臣○○」を電話帳データとして記憶しており、発信先電話番号としての「０９０＊＊＊＊＊＊０３」及び登録名としての「豊臣○○」を着信情報７３として表示装置１４の表示領域の右半部に表示させている例を示している。
【００５４】
この場合、制御部２は、電話番号として「０９０＊＊＊＊＊＊０１」が付与されている携帯電話機から着信している携帯電話機の用途が仕事用であり、電話番号として「０９０＊＊＊＊＊＊０３」が付与されている携帯電話機から着信している携帯電話機の用途がプライベート用であり、休日であるときには、用途がプライベート用である携帯電話機の優先順位を高く設定し、プライベート用の携帯電話機の着信情報に優先順位が高い旨を示す情報（図１８（ｂ）では着信情報７３における「優先」という文字情報）を表示させる。
【００５５】
そして、制御部２は、２台着信時の表示画面を表示させている場合にも、１台着信時の表示画面を表示させている場合と同様にして、２台着信時の表示画面上でユーザの操作が行われたか否かを判定し（ステップＳ４４）、ユーザの操作が行われた旨を判定すると（ステップＳ４４にて「ＹＥＳ」）、ユーザの操作に応じた処理を行う（ステップＳ４５）。尚、制御部２は、全ての携帯電話機の着信が終了すると、着信を終了した携帯電話機の状態に応じた処理を行い（ステップＳ４９）、リターンする。
【００５６】
尚、優先順位が高い旨を示すユーザに通知する方法は、「優先」という文字情報を表示させることの他に、背景色や文字色を区別して表示させても良いし、優先順位が高い方を点滅させると同時に優先順位が低い方を点灯させるなど点灯パターンや点滅パターンを区別して表示させても良いし、例えば優先順位が高い方を表示装置１４の表示領域にあって運転者に近い側に表示させるなど表示位置を区別して表示させても良い。
【００５７】
また、優先順位を設定する方法は、予め登録されている携帯電話機の用途を用いることの他に、ＢＴインタフェース部３が携帯電話機との間でハンズフリープロファイルを接続する毎に携帯電話機毎のＢＴインタフェース部３との間でハンズフリープロファイルを接続した時点を記憶部５に更新記憶させておき、ＢＴインタフェース部３との間でハンズフリープロファイルを接続した時点が過去の（早い）携帯電話機の優先順位を高く設定しても良いし、ＢＴインタフェース部３が携帯電話機との間でハンズフリープロファイルを接続する毎に携帯電話機毎のＢＴインタフェース部３との間でハンズフリープロファイルを接続した回数を記憶部５に更新記憶させておき、ＢＴインタフェース部３との間でハンズフリープロファイルを接続した回数が多い携帯電話機の優先順位を高く設定しても良い。
【００５８】
以上に説明したように本実施形態によれば、車載ハンズフリー装置１において、ハンズフリープロファイルを同時に接続している複数の携帯電話機２１〜２ｎの各々が同時に着信中にある旨を判定したり一方が通話中にあり且つ他方が着信中にある旨を判定したりすると、それら着信中や通話中にある携帯電話機の属性（例えば所有者や用途など）に基づいて着信情報や通話情報の報知態様（例えば背景色など）を区別して報知させるように構成したので、複数の携帯電話機２１〜２ｎの各々の状態をユーザに適切に認識させることができ、ユーザの使い勝手を高めることができる。
【００５９】
本発明は、上記した実施形態にのみ限定されるものではなく、以下のように変形または拡張することができる。
車載ハンズフリー装置１の機能が例えば車載ナビゲーション装置などの別の車載装置に組み込まれていても良い。
【００６０】
着信情報や通話情報の報知態様を区別する方法として表示態様を区別することに限らず、音声出力態様を区別しても良く、そのように構成すれば、複数の携帯電話機２１〜２ｎの各々の状態を聴覚的にユーザに適切に認識させることができ、視線移動を伴わずに認識させることができる。また、振動子を設けて振動態様を区別しても良く、そのように構成すれば、ユーザが振動子に触ることにより、複数の携帯電話機２１〜２ｎの各々の状態を触覚的にユーザに適切に認識させることができる。また、これら表示態様、音声出力態様及び振動態様以外の報知態様を区別しても良い。
【００６１】
着信情報や通話情報を表示させる際のレイアウトは他の態様であっても良い。
携帯電話機の属性は所有者や用途以外の分類であっても良い。
携帯電話機２１〜２ｎから発信先電話番号を受信しなかったときに、「非通知」という表示メッセージを表示させても良い。
【００６２】
携帯電話機２１〜２ｎから発信先電話番号を受信したときに、ユーザが車載ハンズフリー装置１を操作して予め車載ハンズフリー装置１に登録しておいた電話帳データを検索し、その受信した発信先電話番号に対応する登録名を表示装置１４の表示させる構成に限らず、携帯電話機２１〜２ｎとの間でフォンブックアクセスプロファイルを接続することにより、ユーザが携帯電話機２１〜２ｎを操作して予め携帯電話機２１〜２ｎに登録しておいた電話帳データを受信して記憶しておき、その記憶しておいた電話帳データを検索し、つまり、元々が携帯電話機２１〜２ｎに登録されている電話帳データを検索し、その検索した発信先電話番号に対応する登録名を表示装置１４に表示させても良い。
【００６３】
表示手段が１台の表示装置１４からなる構成に限らず、表示手段が複数台の表示装置から構成され、ハンズフリープロファイルを同時に接続している複数の携帯電話機の各々が同時に着信中にある場合や一方が通話中にあり且つ他方が着信中にある場合に、それら着信情報や通話情報を複数台の表示装置に分散させて表示させても良い。つまり、運転者が所有者である携帯電話機の着信情報や通話情報を右側に配置されている表示装置に分散させて表示させ、運転者以外の同乗者が所有者である携帯電話機の着信情報や通話情報を左側に配置されている表示装置に表示させても良い。
【図面の簡単な説明】
【００６４】
【図１】本発明の一実施形態を示す機能ブロック図
【図２】電話機情報登録データの一例を示す図
【図３】複数の携帯電話機がハンズフリープロファイルを同時に接続している態様を概略的に示す図
【図４】フローチャート（その１）
【図５】１台分の着信情報を表示する表示画面の一例を示す図
【図６】図５相当図
【図７】図５相当図
【図８】２台分の着信情報を表示する表示画面の一例を示す図
【図９】図８相当図
【図１０】図８相当図
【図１１】図８相当図
【図１２】フローチャート（その２）
【図１３】１台分の通話情報と１台分の着信情報とを表示する表示画面の一例を示す図
【図１４】図１３相当図
【図１５】図１３相当図
【図１６】図１３相当図
【図１７】フローチャート（その３）
【図１８】図８相当図
【符号の説明】
【００６５】
図面中、１は車載ハンズフリー装置、２は制御部（制御手段、計時手段、接続時点検知手段、接続回数計数手段）、３はＢＴインタフェース部（ハンズフリー接続手段）、５は記憶部（記憶手段）、１４は表示装置（報知手段、表示手段）、２１〜２ｎは携帯電話機、３１は携帯電話網（通信網）である。
【図１】
0004760891.tif 000002
【図２】
0004760891.tif 000003
【図３】
0004760891.tif 000004
【図４】
0004760891.tif 000005
【図５】
0004760891.tif 000006
【図６】
0004760891.tif 000007
【図７】
0004760891.tif 000008
【図８】
0004760891.tif 000009
【図９】
0004760891.tif 000010
【図１０】
0004760891.tif 000011
【図１１】
0004760891.tif 000012
【図１２】
0004760891.tif 000013
【図１３】
0004760891.tif 000014
【図１４】
0004760891.tif 000015
【図１５】
0004760891.tif 000016
【図１６】
0004760891.tif 000017
【図１７】
0004760891.tif 000018
【図１８】
0004760891.tif 000019